(57)【要約】【課題】  電源ケーブルが抜かれた際の誤動作を防止する。【解決手段】  一次側電源入力を監視し、入力が遮断されている場合には、二次側システムをリセット状態にすることにより、不完全なイニシャライズを防止する。【選択図】  図１
2010125753.tif 000002
【特許請求の範囲】
【請求項１】
電力線からの交流電力供給を受け直流電力に整流する整流手段と、
該整流された直流電力を平滑化する平滑化コンデンサと、
該平滑化された直流電力を受け、スイッチングすることにより所定の直流電圧を生成する直流電圧生成手段と、
前記直流電圧を受け装置内の制御を行う制御手段と、
前記直流電圧を監視し、該直流電圧が所定以下の場合、前記制御手段に対してリセット信号を出力し、
直流電圧が所定値より大きい場合、前記制御手段に対してリセット信号を出力しない電圧検知手段を有する画像形成装置において、
前記整流手段の前段に位置し、前記電力線からの交流電力を監視し、該交流電力が遮断されたときには、前記制御手段を停止させる停止手段を具備したことを特徴とする画像形成装置。
【請求項２】
前記停止手段は前記制御手段が動作する前に有効になるように構成したことを特徴とする請求項１に記載の画像形成装置。
【発明の詳細な説明】
【技術分野】
【０００１】
本発明は昇華型プリンタなど、内蔵のスイッチング電源で駆動され、プリンタ本体の電源のＯＮ・ＯＦＦ動作をソフトスイッチで行う装置に関する。
【背景技術】
【０００２】
近年、デジタルカメラの普及に伴い、その出力装置としてコンパクトフォトプリンタの使用が増えている。
【０００３】
該コンパクトフォトプリンタにおいては、外付けＡＣアダプタによりプリンタ本体に電力供給を受けて、プリント動作を行うタイプが一般的であるが、より小型化の要求にこたえる為に、前記ＡＣアダプタ部を内蔵した製品も発表されている。
【０００４】
このようなＡＣ電源部はスイッチング電源で構成され、ＡＣを整流しＤＣ電圧化するダイオードブリッジ、整流したＤＣ電圧を平滑化する一次平滑化コンデンサ、平滑化されたＤＣ電圧をスイッチングするスイッチングＦＥＴ、スイッチングされたＤＣ電圧を所定の電圧に降圧するトランス等で構成される。
【０００５】
このようなスイッチング電源を利用したプリンタの好適な例を特許文献１に示す。
【０００６】
特許文献１の図１においては、ダイオードブリッジ４、平滑化コンデンサＣ１、スイッチングＦＥＴＱ、トランスＮで構成され、ＡＣ入力２が供給されることにより、ＤＣ電圧ＶＭがＡＣ／ＤＣ変換されたのち供給され、プッシュスイッチＰＳ２が押されることによりシステムが立ち上がる。
【０００７】
このようなプリンタにおいては、入力可能なＡＣ電圧を１００Ｖ〜２３０Ｖと広く設定している機器が一般的である。
【特許文献１】特開２００３−１９９３４０号公報
【発明の開示】
【発明が解決しようとする課題】
【０００８】
上記のようなプリンタを含めて、コンパクトフォトプリンタにおいては、前記ＡＣ電源部からの出力電圧たとえば２４Ｖをもとに各ユニットに適応した電圧に変換するＤＣ／ＤＣコンバータを複数具備し、例えばサーマルヘッド用に１６Ｖ、システム用に５Ｖなどの電力供給を行うのが一般的である。
【０００９】
前記サーマルヘッドはプリント動作中に駆動され、比較的大電流例えば、３Ａ〜４Ａという電流が流れる。一方システム用の電圧は、スタンバイ、プリントの両方に使用され、その電流は比較的小電流、例えば０．５Ａという電流が流れる。
【００１０】
そのためフォトプリンタは、スタンバイ中は３Ｗ以下、プリント中は６０Ｗ以上というようにプリント中とスタンバイ中の電力差が大きい傾向にある。
【００１１】
そして、プリント動作中における電気瞬断試験に対して電圧安定化のために上記ＡＣ電源部の一次平滑コンの容量は決定され、その容量はプリンタの高速化、印画サイズの広域化に伴い増加する傾向にある。
【００１２】
上記のようなスイッチング電源においては、ＡＣケーブルが抜かれＡＣ入力が停止した直後であっても、一次平滑コンデンサに所定の電荷が蓄えられているため、ＦＥＴ、トランスを介してＡＣ／ＤＣ変換がなされ、電力供給が行われている。
【００１３】
そのため、プッシュスイッチが押された場合、該供給電力により、システムが一時的に立ち上がり、その後前記一次平滑コンデンサに蓄えられた電荷を消費しながら、システムダウンする。
【００１４】
昇華型プリンタにおいては、通常のデジタル機器と同じような周辺メモリの診断、イニシャライズのほかにヘッド、モータの位置初期化およびリボンの開始位置検索などのイニシャライズ動作を行う。
【００１５】
そのため、既述のように、プリンタの高速化、印画サイズの広域化による容量増大化に伴い、立ち上がる時間も長くなり、前記システムの不必要なイニシャライズがおこなわれるというような問題が発生していた。
【００１６】
そしてその現象は、ＡＣ入力電圧が高い場合、例えば２３０Ｖの場合に、その動作がより顕著になり、ユーザに対して装置の動作に対する不快感を与えることになっていた。
【課題を解決するための手段】
【００１７】
上記目的を達成するため、本出願に係る第一の発明は電源入力を監視し、入力が遮断されている場合には、リセット入力を“イネーブル”にして、リセット状態とし、ＣＰＵの動作を停止し、前記問題点を解決させることを特徴とする。
【発明の効果】
【００１８】
以上説明したように、本発明によれば、電源入力を監視し、入力が遮断されている場合には、リセット入力を“イネーブル”にして、リセット状態とし、ＣＰＵの動作を停止させることにより、不完全なイニシャライズ動作を防止することができる。
【発明を実施するための最良の形態】
【００１９】
次に、本発明の詳細を実施例の記述に従って説明する。
【実施例１】
【００２０】
本発明の第一の実施例を図１および図２を使用して説明する。
【００２１】
図１は本発明の構成を如実に示す図である。
【００２２】
図１は主に３つのブロックに分かれており、１がＡＣ／ＤＣ変換部、２がプリンタの入力制御部、３が電源監視部である。そのおのおのについて順に説明していく。
【００２３】
まず、ＡＣ／ＤＣ部１について説明する。
【００２４】
１において、１０はダイオードブリッジ、１１は一次平滑コンデンサ、１２はトランス、１３は整流用ダイオード、１４は平滑コンデンサ、１５は抵抗、１６はシャントレギュレータ、１７、１８は抵抗、１９はスイッチング制御用ＩＣ、２０はフォトカプラ、２１は出力電圧である。
【００２５】
ダイオードブリッジ１０の入力部にＡＣ電圧、例えば１００Ｖが入力されるとダイオードにより整流され、コンデンサ１１の両端に全波整流波形が入力される。その後、コンデンサ１１により平滑化され、交流電圧の実効値である１４４Ｖ程度の直流電圧が生成されトランス１２に入力される。トランス１２のもう一端にはスイッチングＩＣが接続されており、該ＩＣがスイッチング動作を行うことにより、トランス１２の両端に振幅１４４Ｖの交流波を発生させる。
【００２６】
トランス１２は該交流波を降圧し、整流ダイオード１３と平滑コンデンサ１４により、例えば、２４Ｖの直流電圧が生成される。シャントレギュレータ１６は２１の電圧を抵抗１７、１８を介してモニタし、２４Ｖになるようにフォトカプラ２０の発光側素子を駆動する。制御ＩＣ１９フォトカプラ２０からの情報により、前記交流波形のデューティを制御する。
【００２７】
次に入力制御部２について説明する。
【００２８】
２において、３０は抵抗、３１はソフトスイッチ用ＰｃｈＦＥＴ、３２は２４Ｖ、３３はプッシュスイッチ、３４はＤＣ／ＤＣコンバータ、３５、３６は抵抗、３７、３８はダイオード、３９はリセットＩＣ、４０は抵抗、４１はＣＰＵ、４２はシステムＯＮ信号、４３はＮＰＮトランジスタである。
【００２９】
ユーザがプッシュスイッチ３３を押すと、２４Ｖ電圧２１を抵抗３０と３６で分圧したバイアス電圧が抵抗３５を介してトランジスタ４３のベースに印加される。これにより、ＮＰＮトランジスタ４３がＯＮし、それに伴いＦＥＴ３１のゲート電圧が低下するために、ＦＥＴ３１もＯＮする。
【００３０】
この結果、２４Ｖ電圧が３２に伝播し、ＤＣ／ＤＣコンバータ３４に入力される。ＤＣ／ＤＣコンバータは該入力電圧から、デジタルシステム用の電圧、例えば３．３Ｖに変換し出力する。該３．３Ｖ電圧はリセットＩＣ３９、ＣＰＵ４１に入力され、リセットＩＣは３．３Ｖが立ち上がってのち、所定の遅延時間を経過した後、出力していたリセット信号４４をディセーブルにする。ＣＰＵ４１はリセット信号４４がディセーブルになった後、プログラムが読み込まれ、動作を開始し、システムＯＮ信号４２を出力する。その結果、ユーザがプッシュスイッチ３３から手を離しても、トランジスタ４３、ＦＥＴ３１がＯＮ状態が維持され、ＤＣ／ＤＣコン３４からは３．３Ｖが供給されつづける。また、ダイオード３７、３８は、逆流防止用の目的のため存在する。
【００３１】
ＣＰＵ４１が立ち上がったのちの動作を図２に示す。
【００３２】
図２において、７０はＬＣＤモニタ、７５はＬＣＤドライバ、７１はサーマルヘッド、７２、７３、７４はサーマルヘッド７１に対するデータ信号、デジタルＩＣ用電源、発熱体用電源である。
【００３３】
７７はヘッドモータ用ＩＣ、７８はモータドライバ、７９はＵＳＢ  ＨＵＢ、８０はカードメモリ、８１はフラッシュメモリ、８２はＳＤＲＡＭである。
【００３４】
ＣＰＵ４１はリセット解除後フラッシュメモリ８１内の動作プログラムを読み込み動作を開始する。
【００３５】
ＣＰＵのイニシャライズ動作としては、
ヘッドモータ制御ＩＣを使用して、モータを駆動し各アクチュエータをホームポジションにもどす
ＳＤＲＡＭの診断と初期化
ＵＳＢハブの初期化
ＬＣＤドライバを駆動してＬＣＤを点灯
があり、この一連の動作を完了して、プリント待機状態になる。
【００３６】
次に図１にもどり、本発明のポイントを説明する。
【００３７】
３は電源監視部である。３の各部分の説明を行うに伴い、本実施例を効果を如実に示す動作についてあわせて説明する。
【００３８】
３において、５８はＡＣ入力監視用フォトカプラ、５２、５５、５６、５７、５９は抵抗、５３はＮＰＮトランジスタ、５０は強制リセット用のＮｃｈＦＥＴである。
【００３９】
３において、ＡＣ入力が実行されているとフォトカプラ６１の受光側トランジスタがＯＮし続け、抵抗５５を介してＮｃｈＦＥＴ５０のゲート端子のレベルをＧＮＤレベルに引き下げる。そのため、ＦＥＴ５０は電源ＯＮせずリセット信号４４には影響を与えない。
【００４０】
従って、プッシュスイッチ３３が押されて、ＣＰＵ４１、リセットＩＣ３９に３．３Ｖが供給され場合、正常にＣＰＵ内のプログラムが動作する。
【００４１】
次に、ＡＣ入力が遮断され場合について説明する。このとき、フォトカプラ６１の受光側トランジスタには内部光が入力されないので、ＯＦＦしたままである。従って、ＮｃｈＦＥＴ５０のゲート端子には２１の電圧を抵抗５６、５７で分圧した電圧が供給される。
【００４２】
ＡＣ入力が遮断された際、一次平滑コンデンサ１４に電荷が蓄積されていない場合は、ＣＰＵ４１等への電圧供給がなされないため、プッシュスイッチ３３を押してもＣＰＵ４１は立ち上がらない。
【００４３】
一方、ＡＣ入力が遮断された際、一次平滑コンデンサ１４に十分な電荷が蓄積されていた場合、プッシュスイッチ３３をおすと２４Ｖ電圧２１が一時的に供給される。そのため、ＣＰＵ４１、リセットＩＣ３９に３．３Ｖが供給される。しかしながら、同時にＮｃｈＦＥＴのゲートにバイアス電圧が供給されるので、ＮｃｈＦＥＴはＯＮする。そのため、リセット信号４４がＧＮＤレベルになり、ＣＰＵ３９はリセットがかかっている状態のため動作しない。
【００４４】
次にシステムが立ち上がった後の動作について説明する。
【００４５】
ＡＣ入力が正常に入力され、プッシュスイッチ３３が押された場合、ＣＰＵは正常に立ち上がと同時に、強制リセット禁止信号５１をイネーブルにする。すると、トランジスタ５３がＯＮし、ＮｃｈＦＥＴ５０のゲート端子はＧＮＤレベルに固定される。このような状態において、ＡＣ入力が遮断された場合、前記のようにフォトカプラ６１の発光側トランジスタはＯＦＦするが、既述のようにＮｃｈＦＥＴ５０のゲート電圧がＧＮＤレベルになっているので、ＮｃｈＦＥＴ５０はＯＮせず、ＣＰＵはリセットせず、そのまま正常に動作する。
【００４６】
一般的に停電などの短時間の電圧力変動に対して電気機器は正常に動作することが求められており、その要求に対応することを目的としている。
【００４７】
以上、説明したように、入力ＡＣを監視する手段を有し
電源立ち上げ時にはＡＣ入力を監視し、入力がない場合にはシステムに強制リセットがかかるように構成する
電源立ち上げ後には、瞬時停電などの発生時にも正常に動作するように、前記強制リセットが動作しないように構成する。
ことにより、不十分なイニシャライズを防ぐことができる。
【図面の簡単な説明】
【００４８】
【図１】本発明の第１の実施例に係る発明の構成を説明する図である。
【図２】本発明の第１の実施例に係るプリンタのシステムブロック図である。
【符号の説明】
【００４９】
１  ＡＣ／ＤＣ変換部
２  入力制御部
３  電源監視部
３４  ＤＣ／ＤＣコンバータ
３９  リセットＩＣ
４１  ＣＰＵ
５０  強制リセット用ＮチャネルＦＥＴ
５３  強制リセット禁止トランジスタ
６１  ＡＣ入力監視用フォトカプラ
【図１】
2010125753.tif 000003
【図２】
2010125753.tif 000004